(57)【要約】【課題】保留状態とされた検査の早期実施を実現する仕組みを提供する。【解決手段】ＲＩＳ１２００から取得した、或る患者の複数の撮影部位に係る検査情報に基づいて、前記或る患者の検査を開始する検査開始部１５１３−１と、ユーザの操作入力に基づいて検査開始部１５１３−１で開始した検査を保留状態とし、当該保留状態とした検査に関連する検査関連情報と当該保留状態とするまでに撮影した撮影部位におけるＸ線画像をサーバー１４００に送信する検査保留部１５１４−１と、ユーザの操作入力に基づいて、他のＸ線撮影装置１５００−２等で保留状態とされた検査を再開するために、サーバー１４００から当該保留状態とされた検査に関連する検査関連情報と当該保留状態とするまでに撮影された撮影部位におけるＸ線画像を受信する検査再開部１５１５−１を備える。【選択図】図１
2015136599.tif 000002
【特許請求の範囲】
【請求項１】
複数の放射線撮影装置と、第１の外部装置と、第２の外部装置とがネットワークを介して接続された放射線撮影システムにおける前記複数の放射線撮影装置のうちの１つの放射線撮影装置であって、
前記第１の外部装置から、或る患者の複数の撮影部位に係る検査情報を取得する取得手段と、
前記検査情報に基づいて、前記或る患者の検査を開始する処理を行う検査開始手段と、
ユーザの操作入力に基づいて、前記検査開始手段で開始した検査を保留状態とし、当該保留状態とした検査に関連する検査関連情報を前記第２の外部装置または前記第１の外部装置に送信するとともに、当該保留状態とするまでに撮影した前記撮影部位における放射線画像を前記第２の外部装置に送信する検査保留手段と、
ユーザの操作入力に基づいて、当該放射線撮影装置または前記複数の放射線撮影装置のうちの他の放射線撮影装置で保留状態とされた検査を再開するために、前記第２の外部装置または前記第１の外部装置から当該保留状態とされた検査に関連する検査関連情報を受信するとともに、前記第２の外部装置から当該保留状態とするまでに撮影された前記撮影部位における放射線画像を受信する検査再開手段と
を有することを特徴とする放射線撮影装置。
【請求項２】
複数の放射線撮影装置と、第１の外部装置と、第２の外部装置とがネットワークを介して接続された放射線撮影システムにおける前記複数の放射線撮影装置のうちの１つの放射線撮影装置であって、
前記第１の外部装置から、或る患者の複数の撮影部位に係る検査情報を取得する取得手段と、
前記検査情報に基づいて、前記或る患者の検査を開始する処理を行う検査開始手段と、
ユーザの操作入力に基づいて、前記検査開始手段で開始した検査を保留状態とし、当該保留状態とした検査に関連する検査関連情報を前記第２の外部装置または前記第１の外部装置に送信するとともに、当該保留状態とするまでに撮影した前記撮影部位における放射線画像を当該放射線撮影装置の記憶手段に記憶する検査保留手段と、
ユーザの操作入力に基づいて、当該放射線撮影装置または前記複数の放射線撮影装置のうちの他の放射線撮影装置で保留状態とされた検査を再開するために、前記第２の外部装置または前記第１の外部装置から当該保留状態とされた検査に関連する検査関連情報を受信するとともに、当該放射線撮影装置の記憶手段または前記他の放射線撮影装置から当該保留状態とするまでに撮影された前記撮影部位における放射線画像を取得する検査再開手段と
を有することを特徴とする放射線撮影装置。
【請求項３】
前記第１の外部装置に対して、前記検査開始手段で検査を開始する際に検査開始通知を送信し、当該検査を終了した際に検査終了通知を送信する通知手段を更に有することを特徴とする請求項１または２に記載の放射線撮影装置。
【請求項４】
前記通知手段は、前記第２の外部装置を介して、前記第１の外部装置に対して、前記検査開始通知を送信するとともに、前記検査終了通知を送信することを特徴とする請求項３に記載の放射線撮影装置。
【請求項５】
ユーザから検査の再開に係る操作入力を受けた際に、当該検査の再開が前記他の放射線撮影装置で保留状態とされた検査を再開する場合であって当該放射線撮影装置と前記他の放射線撮影装置との所定の撮影条件が異なる場合には、前記検査再開手段による当該検査の再開を行わないことを特徴とする請求項１乃至４のいずれか１項に記載の放射線撮影装置。
【請求項６】
複数の放射線撮影装置と、第１の外部装置と、第２の外部装置とがネットワークを介して接続された放射線撮影システムにおける前記複数の放射線撮影装置のうちの１つの放射線撮影装置の制御方法であって、
前記第１の外部装置から、或る患者の複数の撮影部位に係る検査情報を取得する取得ステップと、
前記検査情報に基づいて、前記或る患者の検査を開始する処理を行う検査開始ステップと、
ユーザの操作入力に基づいて、前記検査開始ステップで開始した検査を保留状態とし、当該保留状態とした検査に関連する検査関連情報を前記第２の外部装置または前記第１の外部装置に送信するとともに、当該保留状態とするまでに撮影した前記撮影部位における放射線画像を前記第２の外部装置に送信する検査保留ステップと、
ユーザの操作入力に基づいて、当該放射線撮影装置または前記複数の放射線撮影装置のうちの他の放射線撮影装置で保留状態とされた検査を再開するために、前記第２の外部装置または前記第１の外部装置から当該保留状態とされた検査に関連する検査関連情報を受信するとともに、前記第２の外部装置から当該保留状態とするまでに撮影された前記撮影部位における放射線画像を受信する検査再開ステップと
を有することを特徴とする放射線撮影装置の制御方法。
【請求項７】
複数の放射線撮影装置と、第１の外部装置と、第２の外部装置とがネットワークを介して接続された放射線撮影システムにおける前記複数の放射線撮影装置のうちの１つの放射線撮影装置の制御方法であって、
前記第１の外部装置から、或る患者の複数の撮影部位に係る検査情報を取得する取得ステップと、
前記検査情報に基づいて、前記或る患者の検査を開始する処理を行う検査開始ステップと、
ユーザの操作入力に基づいて、前記検査開始ステップで開始した検査を保留状態とし、当該保留状態とした検査に関連する検査関連情報を前記第２の外部装置または前記第１の外部装置に送信するとともに、当該保留状態とするまでに撮影した前記撮影部位における放射線画像を当該放射線撮影装置の記憶手段に記憶する検査保留ステップと、
ユーザの操作入力に基づいて、当該放射線撮影装置または前記複数の放射線撮影装置のうちの他の放射線撮影装置で保留状態とされた検査を再開するために、前記第２の外部装置または前記第１の外部装置から当該保留状態とされた検査に関連する検査関連情報を受信するとともに、当該放射線撮影装置の記憶手段または前記他の放射線撮影装置から当該保留状態とするまでに撮影された前記撮影部位における放射線画像を取得する検査再開ステップと
を有することを特徴とする放射線撮影装置の制御方法。
【請求項８】
請求項６または７に記載の放射線撮影装置の制御方法の各ステップをコンピュータに実行させるためのプログラム。
【発明の詳細な説明】
【技術分野】
【０００１】
本発明は、被検体である患者の放射線撮影を行う放射線撮影装置及びその制御方法、並びに、当該制御方法をコンピュータに実行させるためのプログラムに関するものである。
なお、本明細書では、本発明における放射線としてＸ線を適用した例について説明を行うが、本発明においては、このＸ線に限らず、α線、β線、γ線等も、放射線に含まれるものとする。
【背景技術】
【０００２】
近年、半導体技術の進歩により、人体の大きさをカバーできる大判の固体撮像素子、いわゆるフラットパネルディテクタを用いたＸ線撮影装置（放射線撮影装置）が開発されている。このようなＸ線撮影装置では、撮影により得られたＸ線画像が数秒表示されるため、適切に撮影できたか否かをすぐに判断することができ、効率のよい撮影が行えるようになってきている。
【０００３】
一方、病院内の情報ネットワークの整備に伴い、ネットワーク上で情報を扱うシステムとして、病院情報システム（Ｈｏｓｐｉｔａｌ  Ｉｎｆｏｒｍａｔｉｏｎ  Ｓｙｓｔｅｍ：以下「ＨＩＳ」と称する）、放射線情報システム（Ｒａｄｉｏｌｏｇｙ  Ｉｎｆｏｒｍａｔｉｏｎ  Ｓｙｓｔｅｍ：以下、「ＲＩＳ」と称する）、画像保管通信システム（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ：以下「ＰＡＣＳ」と称する）等の情報システムが発達し、Ｘ線撮影装置の運用に密接に関連している。
【０００４】
ＨＩＳは、患者情報（例えば、患者ＩＤ、患者名、性別、年齢（更には生年月日）等）や会計情報等の病院内の管理情報の全般を扱う。ＲＩＳは、診療科からＸ線画像の撮影依頼を受け、放射線科にどの患者のどの部位を撮影するのかを明確にして検査情報として撮影依頼を出す等の画像撮影に関する情報の管理や、撮影依頼先から撮影開始や撮影終了等の通知を受信して撮影状態の管理を行う。ＰＡＣＳは、撮影により得られたＸ線画像を保管し、過去画像の視認依頼があれば画像検索をして配信する等のＸ線画像の保管管理を行う。
【０００５】
Ｘ線撮影装置は、ネットワークを介してＲＩＳから受信した複数の検査情報の中から１つの検査情報を選択して検査を開始する。具体的に、Ｘ線撮影装置は、選択した検査情報で指定された撮影を行い、撮影により得られたＸ線画像をＰＡＣＳに送信して、検査を終了する。
【０００６】
一般に、検査情報は患者ごとになっているため、或る患者の検査が開始されると、その患者に対する全ての撮影が終了してから、次の検査を開始するのが基本的な手順であるが、或る患者の検査中に、他の患者を優先して撮影しなければならない状況もある。このような状況に鑑みて、下記の特許文献１には、現在実施中の検査を保留状態にして、他の患者の検査を優先して実施できるようにした仕組みが提案されている。
【先行技術文献】
【特許文献】
【０００７】
【特許文献１】特開２００３−２４５２７０号公報
【発明の概要】
【発明が解決しようとする課題】
【０００８】
具体的に、特許文献１に記載の仕組みは、保留する検査をＲＡＭに記憶させて保持し、他の検査を実施した後、ＲＡＭから保留中の検査を読み出して続きの処理を実行できるように構成されている。したがって、現在実施中の検査を保留状態にして、緊急度の高い他の検査を優先して実行することができる。
【０００９】
しかしながら、特許文献１に記載の仕組みでは、検査を保留状態としたＸ線撮影装置でしか当該検査の再開を行えないため、仮に他の撮影室が受け入れ可能な状況（即ち他のＸ線撮影装置で撮影可能な状況）になったとしても、優先して実施している他の検査の終了を待たなければならないという問題があった。
【００１０】
本発明は、このような問題点に鑑みてなされたものであり、保留状態とされた検査の早期実施を実現する仕組みを提供することを目的とする。
【課題を解決するための手段】
【００１１】
本発明の放射線撮影装置は、複数の放射線撮影装置と、第１の外部装置と、第２の外部装置とがネットワークを介して接続された放射線撮影システムにおける前記複数の放射線撮影装置のうちの１つの放射線撮影装置であって、前記第１の外部装置から、或る患者の複数の撮影部位に係る検査情報を取得する取得手段と、前記検査情報に基づいて、前記或る患者の検査を開始する処理を行う検査開始手段と、ユーザの操作入力に基づいて、前記検査開始手段で開始した検査を保留状態とし、当該保留状態とした検査に関連する検査関連情報を前記第２の外部装置または前記第１の外部装置に送信するとともに、当該保留状態とするまでに撮影した前記撮影部位における放射線画像を前記第２の外部装置に送信する検査保留手段と、ユーザの操作入力に基づいて、当該放射線撮影装置または前記複数の放射線撮影装置のうちの他の放射線撮影装置で保留状態とされた検査を再開するために、前記第２の外部装置または前記第１の外部装置から当該保留状態とされた検査に関連する検査関連情報を受信するとともに、前記第２の外部装置から当該保留状態とするまでに撮影された前記撮影部位における放射線画像を受信する検査再開手段とを有する。
本発明の放射線撮影装置における他の態様は、複数の放射線撮影装置と、第１の外部装置と、第２の外部装置とがネットワークを介して接続された放射線撮影システムにおける前記複数の放射線撮影装置のうちの１つの放射線撮影装置であって、前記第１の外部装置から、或る患者の複数の撮影部位に係る検査情報を取得する取得手段と、前記検査情報に基づいて、前記或る患者の検査を開始する処理を行う検査開始手段と、ユーザの操作入力に基づいて、前記検査開始手段で開始した検査を保留状態とし、当該保留状態とした検査に関連する検査関連情報を前記第２の外部装置または前記第１の外部装置に送信するとともに、当該保留状態とするまでに撮影した前記撮影部位における放射線画像を当該放射線撮影装置の記憶手段に記憶する検査保留手段と、ユーザの操作入力に基づいて、当該放射線撮影装置または前記複数の放射線撮影装置のうちの他の放射線撮影装置で保留状態とされた検査を再開するために、前記第２の外部装置または前記第１の外部装置から当該保留状態とされた検査に関連する検査関連情報を受信するとともに、当該放射線撮影装置の記憶手段または前記他の放射線撮影装置から当該保留状態とするまでに撮影された前記撮影部位における放射線画像を取得する検査再開手段とを有する。
また、本発明は、上述した放射線撮影装置の制御方法、及び、当該制御方法をコンピュータに実行させるためのプログラムを含む。
【発明の効果】
【００１２】
本発明によれば、保留状態とされた検査の早期実施を実現することができる。
【図面の簡単な説明】
【００１３】
【図１】本発明の第１の実施形態に係るＸ線撮影システム（放射線撮影システム）の概略構成の一例を示す図である。
【図２】図１に示すＸ線撮影制御装置のハードウェア構成の一例を示す図である。
【図３】図１に示すＸ線撮影装置（放射線撮影装置）の制御方法における処理手順の一例を示すフローチャートである。
【図４】本発明の第１の実施形態を示し、図３に示すフローチャートが開始された際に表示されるＧＵＩ画面の一例を示す図である。
【図５】本発明の第１の実施形態に係るＸ線撮影装置（放射線撮影装置）の制御方法を示し、図３のステップＳ１０１において実施する検査が新規検査であると判断された場合に行われる処理手順の一例を示すフローチャートである。
【図６】本発明の第１の実施形態を示し、図４のステップＳ２０２において表示されるＧＵＩ画面の一例を示す図である。
【図７】本発明の第１の実施形態を示し、図６に示す患者ＩＤが「１４００１」の検査情報に基づく新規検査を実施するためのＧＵＩ画面の一例を示す図である。
【図８】本発明の第１の実施形態に係るＸ線撮影装置（放射線撮影装置）の制御方法を示し、図３のステップＳ１０１において実施する検査が保留検査であると判断された場合に行われる処理手順の一例を示すフローチャートである。
【図９】本発明の第１の実施形態を示し、図１に示すサーバーで管理されている保留検査情報の一例を示す図である。
【図１０】本発明の第１の実施形態を示し、図４のステップＳ３０２において表示されるＧＵＩ画面の一例を示す図である。
【図１１】本発明の第１の実施形態を示し、図１０に示す患者ＩＤが「１１５６２」の検査情報に基づく保留検査を実施するためのＧＵＩ画面の一例を示す図である。
【図１２】本発明の第２の実施形態に係るＸ線撮影装置（放射線撮影装置）の制御方法を示し、図３のステップＳ１０１において実施する検査が新規検査であると判断された場合に行われる処理手順の一例を示すフローチャートである。
【図１３】本発明の第２の実施形態に係るＸ線撮影装置（放射線撮影装置）の制御方法を示し、図３のステップＳ１０１において実施する検査が保留検査であると判断された場合に行われる処理手順の一例を示すフローチャートである。
【図１４】本発明の第３の実施形態に係るＸ線撮影装置（放射線撮影装置）の制御方法を示し、図３のステップＳ１０１において実施する検査が新規検査であると判断された場合に行われる処理手順の一例を示すフローチャートである。
【図１５】本発明の第４の実施形態に係るＸ線撮影装置（放射線撮影装置）の制御方法を示し、図３のステップＳ１０１において実施する検査が新規検査であると判断された場合に行われる処理手順の一例を示すフローチャートである。
【発明を実施するための形態】
【００１４】
以下に、図面を参照しながら、本発明を実施するための形態（実施形態）について説明する。
【００１５】
（第１の実施形態）
まず、本発明の第１の実施形態について説明する。
【００１６】
図１は、本発明の第１の実施形態に係るＸ線撮影システム（放射線撮影システム）１０００の概略構成の一例を示す図である。
Ｘ線撮影システム１０００は、図１に示すように、病院内のネットワーク１１００、ＲＩＳ１２００、ＰＡＣＳ１３００、サーバー１４００、及び、複数のＸ線撮影装置（複数の放射線撮影装置）１５００を有して構成されている。図１に示す例では、複数のＸ線撮影装置１５００として、第１の撮影室に設置されている第１のＸ線撮影装置１５００−１と、第２の撮影室に設置されている第２のＸ線撮影装置１５００−２が示されているが、本発明においてはこれに限定されるものではない。例えば、複数のＸ線撮影装置１５００として、３つ以上のＸ線撮影装置が設けられている形態も、本発明に含まれる。また、以下の説明において、第１のＸ線撮影装置１５００−１と第２のＸ線撮影装置１５００−２とを特に区別しない場合には、単に、Ｘ線撮影装置１５００と称して説明を行う。
【００１７】
図１に示す例では、ネットワーク１１００には、ＲＩＳ１２００、ＰＡＣＳ１３００、サーバー１４００、並びに、第１のＸ線撮影装置１５００−１及び第２のＸ線撮影装置１５００−２が接続されており、相互に情報通信を可能に構成されている。
【００１８】
ＲＩＳ１２００は、放射線情報システムであり、各診療科から依頼された検査依頼に係る各種の情報を管理している。
【００１９】
ＰＡＣＳ１３００は、画像保管通信システムであり、必要に応じて、ネットワーク１１００に接続されている第１のＸ線撮影装置１５００−１及び第２のＸ線撮影装置１５００−２から医用画像であるＸ線画像（放射線画像）を収集して管理する。
【００２０】
サーバー１４００は、ネットワーク１１００を介して、第１のＸ線撮影装置１５００−１及び第２のＸ線撮影装置１５００−２、更には、ＲＩＳ１２００やＰＡＣＳ１３００と通信を行い、各種の情報等について送受信を行う。この際、サーバー１４００は、必要に応じて、他の外部装置と送受信を行った各種の情報等の管理も行う。
【００２１】
第１のＸ線撮影装置１５００−１は、図１に示すように、Ｘ線撮影制御装置１５１０−１、Ｘ線発生装置１５２０−１、Ｘ線管球１５３０−１、及び、Ｘ線検出装置１５４０−１を有して構成されている。
【００２２】
Ｘ線撮影制御装置（放射線撮影制御装置）１５１０−１は、第１のＸ線撮影装置（第１の放射線撮影装置）１５００−１における動作を統括的に制御する。Ｘ線撮影制御装置１５１０−１は、Ｘ線発生装置１５２０−１、Ｘ線検出装置１５４０−１、及び、ネットワーク１１００と接続されている。Ｘ線撮影制御装置１５１０−１は、ＲＩＳ１２００から第１のＸ線撮影装置１５００−１で実施すべき検査の検査情報を受信し、その検査情報に基づいて被検体である患者のＸ線撮影を行って、当該患者の検査を実施する。
【００２３】
Ｘ線発生装置（放射線発生装置）１５２０−１は、Ｘ線撮影制御装置１５１０−１の制御に基づいて、Ｘ線管球１５３０−１から被検体である患者に対してＸ線を発生させる。例えば、Ｘ線発生装置１５２０−１は、Ｘ線撮影制御装置１５１０−１から送信された、Ｘ線管球１５３０−１の管電圧及び管電流やＸ線の照射時間等のＸ線発生条件に従って、Ｘ線管球１５３０−１から患者に対してＸ線を発生させる。
【００２４】
Ｘ線管球（放射線管球）１５３０−１は、Ｘ線発生装置１５２０−１の制御に基づいて、被検体である患者に対してＸ線を照射する。例えば、Ｘ線管球１５３０−１は、Ｘ線発生装置１５２０−１から指示されたＸ線発生条件に従って、患者に対してＸ線を照射する。
【００２５】
Ｘ線検出装置（放射線検出装置）１５４０−１は、被検体である患者を透過したＸ線を検出し、当該患者のＸ線画像を撮影する処理を行う。
【００２６】
また、Ｘ線撮影制御装置１５１０−１は、Ｘ線検出装置１５４０−１からＸ線画像を受信して、必要な画像処理を施した後、これをＰＡＣＳ１３００やサーバー１４００に送信する。
【００２７】
また、Ｘ線撮影制御装置１５１０−１は、図１に示すように、ＧＵＩ表示・操作入力部１５１１−１、検査情報取得部１５１２−１、検査開始部１５１３−１、検査保留部１５１４−１、検査再開部１５１５−１、記憶部１５１６−１、及び、検査状態通知部１５１７−１の各機能構成を備えている。
【００２８】
ＧＵＩ表示・操作入力部１５１１−１は、ＧＵＩ（Ｇｒａｐｈｉｃａｌ  Ｕｓｅｒ  Ｉｎｔｅｒｆａｃｅ）を表示するとともに、ユーザによるＧＵＩの操作入力を行う。
【００２９】
検査情報取得部１５１２−１は、ＲＩＳ１２００から、或る患者の複数の撮影部位に係る検査情報を取得する。
【００３０】
検査開始部１５１３−１は、検査情報取得部１５１２−１で取得した検査情報に基づいて、前記或る患者の検査を開始する処理を行う。
【００３１】
検査保留部１５１４−１は、ユーザによるＧＵＩの操作入力に基づいて、検査開始部１５１３−１で開始した検査を保留状態とし、当該保留状態とした検査に関連する検査関連情報（前記検査情報を含む）をサーバー１４００またはＲＩＳ１２００に送信するとともに、当該保留状態とするまでに撮影した前記撮影部位におけるＸ線画像（放射線画像）をサーバー１４００またはＰＡＣＳ１３００に送信する。
【００３２】
検査再開部１５１５−１は、ユーザによるＧＵＩの操作入力に基づいて、当該第１のＸ線撮影装置１５００−１または他の放射線撮影装置である第２のＸ線撮影装置１５００−２で保留状態とされた検査を再開するために、サーバー１４００またはＲＩＳ１２００から当該保留状態とされた検査に関連する検査関連情報を受信するとともに、サーバー１４００またはＰＡＣＳ１３００から当該保留状態とするまでに撮影された前記撮影部位におけるＸ線画像を受信する。その後、検査再開部１５１５−１は、当該保留状態とされた検査を再開する処理を行う。
【００３３】
記憶部１５１６−１は、各種の情報等を記憶する。
【００３４】
検査状態通知部１５１７−１は、ＲＩＳ１２００に対して、検査開始部１５１３−１で検査を開始する際に検査開始通知を送信し、当該検査を終了した際に検査終了通知を送信する。この際、検査状態通知部１５１７−１は、サーバー１４００を介して、ＲＩＳ１２００に対して、検査開始通知及び検査終了通知を送信してもよい。
【００３５】
第２のＸ線撮影装置１５００−２も、第１のＸ線撮影装置１５００−１と同様の機能を備えて構成されている。
【００３６】
具体的に、第２のＸ線撮影装置１５００−２は、図１に示すように、Ｘ線撮影制御装置１５１０−２、Ｘ線発生装置１５２０−２、Ｘ線管球１５３０−２、及び、Ｘ線検出装置１５４０−２を有して構成されている。
【００３７】
Ｘ線撮影制御装置（放射線撮影制御装置）１５１０−２は、上述したＸ線撮影制御装置１５１０−１と同様の機能を有する。以下の説明において、Ｘ線撮影制御装置１５１０−１とＸ線撮影制御装置１５１０−２とを特に区別しない場合には、単に、Ｘ線撮影制御装置１５１０と称して説明を行う。
また、Ｘ線撮影制御装置１５１０−２は、図１に示すように、ＧＵＩ表示・操作入力部１５１１−２、検査情報取得部１５１２−２、検査開始部１５１３−２、検査保留部１５１４−２、検査再開部１５１５−２、記憶部１５１６−２、及び、検査状態通知部１５１７−２の各機能構成を備えている。これらの各機能構成も、上述したＸ線撮影制御装置１５１０−１の各機能構成と同様の機能を有する。以下の説明において、Ｘ線撮影制御装置１５１０−１の各機能構成とＸ線撮影制御装置１５１０−２の各機能構成とを特に区別しない場合には、それぞれ、単に、ＧＵＩ表示・操作入力部１５１１、検査情報取得部１５１２、検査開始部１５１３、検査保留部１５１４、検査再開部１５１５、記憶部１５１６、検査状態通知部１５１７と称して説明を行う。
【００３８】
Ｘ線発生装置（放射線発生装置）１５２０−２は、上述したＸ線発生装置１５２０−２と同様の機能を有する。
【００３９】
Ｘ線管球（放射線管球）１５３０−２は、上述したＸ線管球１５３０−１と同様の機能を有する。
【００４０】
Ｘ線検出装置（放射線検出装置）１５４０−２は、上述したＸ線検出装置１５４０−１と同様の機能を有する。
【００４１】
次に、図１に示すＸ線撮影制御装置１５１０のハードウェア構成について説明する。
図２は、図１に示すＸ線撮影制御装置１５１０のハードウェア構成の一例を示す図である。
【００４２】
Ｘ線撮影制御装置１５１０は、図２に示すように、制御部２０１、表示部２０２、Ｘ線検出装置ＩＦ部２０３、Ｘ線発生装置ＩＦ部２０４、ＲＡＭ２０５、入力部２０６、記憶部２０７、ネットワークＩＦ部２０８、及び、バス２０９の各ハードウェア構成を備えている。
【００４３】
制御部２０１は、Ｘ線撮影制御装置１５１０の動作を統括的に制御する。具体的に、制御部２０１は、記憶部２０７に記憶されている制御プログラムをＲＡＭ２０５に転送し当該制御プログラムを逐次実行し、バス２０９に接続される各構成部の制御を行うことによって、Ｘ線撮影制御装置１５１０の動作を統括的に制御する。
【００４４】
表示部２０２は、ＬＣＤやＣＲＴ等の表示装置で構成され、制御部２０１の制御に基づいて、ＧＵＩや、医用画像であるＸ線画像を含む各種の情報を表示する。
【００４５】
Ｘ線検出装置ＩＦ部（放射線検出装置ＩＦ部）２０３は、Ｘ線検出装置１５４０と接続するためのインターフェースであり、例えば、制御部２０１の制御に基づいて、Ｘ線検出装置１５４０から医用画像であるＸ線画像を受信等する。
【００４６】
Ｘ線発生装置ＩＦ部（放射線発生装置ＩＦ部）２０４は、Ｘ線発生装置１５２０と接続するためのインターフェースであり、例えば、制御部２０１の制御に基づいて、Ｘ線発生装置１５２０に対してＸ線発生条件に係る情報を送信等する。
【００４７】
ＲＡＭ２０５は、各種の情報を一時記憶する一時記憶領域であり、例えば、制御部２０１で実行する制御プログラムの格納領域や、表示されるＸ線画像の格納領域、制御プログラムが使用するメモリ領域として使用される。
【００４８】
入力部２０６は、ユーザがＧＵＩを操作するための入力装置である。入力部２０６は、例えば、マウスやタッチパネル等のポインティングデバイスや、必要に応じてキーボード等で構成されている。
【００４９】
記憶部２０７は、ＨＤＤ等で構成される不揮発性の記憶領域であり、例えば、制御部２０１で実行する制御プログラムやＸ線検出装置１５４０から受信したＸ線画像を含む実施済み検査に係る各種の情報を記憶する。
【００５０】
ネットワークＩＦ部２０８は、ネットワーク１１００と接続するためのインターフェースである。ネットワークＩＦ部２０８は、例えば、ネットワークインターフェースカード（ＮＩＣ）で構成されており、ネットワーク１１００を介して、ＲＩＳ１２００やＰＡＣＳ１３００、サーバー１４００と通信可能に構成されている。
【００５１】
バス２０９は、Ｘ線撮影制御装置１５１０に備えられた各ハードウェア構成（２０１〜２０８）を相互に通信可能に接続するものである。
【００５２】
ここで、図１に示すＸ線撮影制御装置１５１０の各機能構成（１５１１〜１５１７）と、図２に示すＸ線撮影制御装置１５１０の各ハードウェア構成（２０１〜２０９）との対応関係の一例について説明する。
図１に示すＧＵＩ表示・操作入力部１５１１は、例えば、図２に示す表示部２０２及び入力部２０６から構成されている。
図１に示す検査情報取得部１５１２及び検査状態通知部１５１７は、例えば、図２に示す制御部２０１及び記憶部２０７に記憶されている制御プログラム、並びに、ネットワークＩＦ部２０８から構成されている。
図１に示す検査開始部１５１３は、例えば、図２に示す制御部２０１及び記憶部２０７に記憶されている制御プログラム、並びに、Ｘ線検出装置ＩＦ部２０３及びＸ線発生装置ＩＦ部２０４から構成されている。
図１に示す検査保留部１５１４及び検査再開部１５１５は、例えば、図２に示す制御部２０１及び記憶部２０７に記憶されている制御プログラム、並びに、Ｘ線検出装置ＩＦ部２０３、Ｘ線発生装置ＩＦ部２０４及びネットワークＩＦ部２０８から構成されている。
図１に示す記憶部１５１６は、図２に示す記憶部２０７から構成されている。
【００５３】
次に、第１の実施形態に係るＸ線撮影装置１５００の制御方法における処理手順の一例について説明を行う。
【００５４】
図３は、図１に示すＸ線撮影装置（放射線撮影装置）１５００の制御方法における処理手順の一例を示すフローチャートである。以降のフローチャートの説明では、図１に示す第１のＸ線撮影装置１５００−１を主体とし、第２のＸ線撮影装置１５００−２を他の放射線撮影装置とした説明を行う。
【００５５】
まず、ステップＳ１０１において、Ｘ線撮影制御装置１５１０−１は、撮影技師等のユーザの操作入力に基づいて、実施する検査の種類または検査を終了するのかを判断する。
【００５６】
具体的に、図３に示すフローチャートが開始されると、まず、ＧＵＩ表示・操作入力部１５１１−１は、図４に示すようなＧＵＩ画面４００を表示する。
図４は、本発明の第１の実施形態を示し、図３に示すフローチャートが開始された際に表示されるＧＵＩ画面４００の一例を示す図である。
ＧＵＩ画面４００には、メッセージ表示領域４１０と、新規検査ボタン４２０、保留検査ボタン４３０、終了ボタン４４０が設けられている。
【００５７】
図４に示すＧＵＩ画面４００において、ユーザにより新規検査ボタン４２０が操作入力されると、Ｘ線撮影制御装置１５１０−１は、ステップＳ１０１において実施する検査が新規検査であると判断し、図５に示すフローチャートに移行する。
【００５８】
また、図４に示すＧＵＩ画面４００において、ユーザにより保留検査ボタン４３０が操作入力されると、Ｘ線撮影制御装置１５１０−１は、ステップＳ１０１において実施する検査が保留検査であると判断し、図８に示すフローチャートに移行する。
【００５９】
また、図４に示すＧＵＩ画面４００において、ユーザにより終了ボタン４４０が操作入力されると、Ｘ線撮影制御装置１５１０−１は、ステップＳ１０１において検査を終了すると判断し、図３に示すフローチャートを終了する。
【００６０】
図５は、本発明の第１の実施形態に係るＸ線撮影装置（放射線撮影装置）１５００の制御方法を示し、図３のステップＳ１０１において実施する検査が新規検査であると判断された場合に行われる処理手順の一例を示すフローチャートである。
【００６１】
図５のフローチャートの処理に移行すると、まず、ステップＳ２０１において、検査情報取得部１５１２−１は、ＲＩＳ１２００から、新規検査対象患者の複数の撮影部位に係る新規検査情報を取得する。
【００６２】
続いて、ステップＳ２０２において、ＧＵＩ表示・操作入力部１５１１−１は、ステップＳ２０１で取得された新規検査情報のリスト表示を行い、ユーザの操作入力に基づいて、新規検査を実施する患者の検査情報を選択する。
【００６３】
図６は、本発明の第１の実施形態を示し、図４のステップＳ２０２において表示されるＧＵＩ画面６００の一例を示す図である。
ＧＵＩ画面６００には、メッセージ表示領域６１０と、新規検査リスト６２０と、決定ボタン６３０及び終了ボタン６４０が設けられている。
新規検査リスト６２０に表示されているように、検査情報は患者ごとになっており、本実施形態では、１つの検査情報には、或る患者の複数の撮影部位が含まれている。具体的に、図６に示す例では、各検査情報には、患者ＩＤ、患者名、性別、年齢、撮影数、撮影部位を含む各種の情報が含まれている。ここで、図６に示す撮影部位には、撮影部位の名称ではなく、ＲＩＳ１２００から依頼された撮影部位を示すアナトミカルコード等の識別情報（識別番号）が示されている。即ち、撮影部位ごとに異なる識別番号が付されている。ここで、本実施形態においては、例えば、撮影部位の識別番号１０１が胸部正面を示し、撮影部位の識別番号１０２が胸部側面を示し、撮影部位の識別番号１０３が腹部正面を示し、撮影部位の識別番号１０４が腹部側面を示しているものとする。
【００６４】
図６に示すＧＵＩ画面６００において、例えば、ユーザにより、患者ＩＤが「１４００１」の検査情報が選択されて、決定ボタン６３０の操作入力がなされると、ＧＵＩ表示・操作入力部１５１１−１は、図７に示すような新規検査に係るＧＵＩ画面６００を表示する。なお、図６に示すＧＵＩ画面６００において、例えば、ユーザにより、終了ボタン６４０の操作入力がなされると、処理を終了することになる。
【００６５】
図７は、本発明の第１の実施形態を示し、図６に示す患者ＩＤが「１４００１」の検査情報に基づく新規検査を実施するためのＧＵＩ画面７００の一例を示す図である。
この図７に示すＧＵＩ画面７００が表示されると、検査開始部１５１３−１は、患者ＩＤが「１４００１」の検査情報に基づいて、患者名が「ヤマダ  ハナコ」の検査を開始する処理を行う。本実施形態においては、図７に示す新規検査に係るＧＵＩ画面７００が表示されると（即ち、図６の示す新規検査リスト６２０の中から或る患者の検査情報が選択されて決定ボタン６３０の操作入力がなされると）、「検査の開始」がなされるものとする。
【００６６】
図７に示すＧＵＩ画面７００には、新規検査表示領域７１０と、患者情報表示領域７２０と、撮影部位表示領域７３０と、撮影画像表示領域７４０と、撮影ボタン７５０及び終了ボタン７６０が設けられている。
患者情報表示領域７２０には、図６に示すＧＵＩ画面６００の新規検査リスト６２０の中から選択・決定された検査情報に含まれる患者情報が表示されている。
撮影部位表示領域７３０には、図６に示すＧＵＩ画面６００の新規検査リスト６２０の中から選択・決定された検査情報に含まれる撮影部位に係る情報が表示されている。具体的に、図７に示す撮影部位表示部７３１には、撮影部位が胸部正面（識別番号：１０１）である旨が表示されており、図７に示す撮影部位表示部７３２には、撮影部位が胸部側面（識別番号：１０２）である旨が表示されている。また、撮影部位表示部７３１及び７３２は、ユーザにより選択可能に構成されており、ユーザは、撮影を行いたい撮影部位を選択可能になっている。また、撮影部位表示部７３１及び７３２には、それぞれ、ユーザが当該撮影部位を撮影済の場合にそのサムネイル画像を表示するためのサムネイル画像表示領域７３１ａ及び７３２ａが設けられている。ユーザは、サムネイル画像表示領域７３１ａ及び７３２ａを見ることによって、当該撮影部位が撮影済か否かを把握することができる。図７に示す例の場合、新規検査であるため、サムネイル画像表示領域７３１ａ及び７３２ａには、サムネイル画像が存在していない。
撮影画像表示領域７４０には、例えば直近に撮影されたＸ線画像が表示される。図７に示す例の場合、新規検査であるため、撮影画像表示領域７４０には、撮影画像が存在していない。
撮影ボタン７５０は、撮影部位表示領域７３０に表示された撮影部位表示部７３１及び７３２のうちのいずれか１つが選択された状態で操作されると、当該選択された撮影部位の撮影が実施されるボタンである。
終了ボタン７６０は、当該新規検査を終了または保留するためのボタンである。具体的に、撮影部位表示領域７３０に表示された全ての撮影部位の撮影が済んでいる状態で終了ボタン７６０が操作されると、「検査の終了」となる。一方、撮影部位表示領域７３０に表示された一部の撮影部位の撮影が済んでいる状態で終了ボタン７６０が操作されると、「検査の保留」となる。
【００６７】
ここで、再び、図５の説明に戻る。
ステップＳ２０２の処理が終了すると、ステップＳ２０３に進む。
ステップＳ２０３に進むと、Ｘ線撮影制御装置１５１０−１（例えば検査開始部１５１３−１）は、ユーザにより、検査の終了または検査の保留の操作入力がなされたか否かを判断する。
【００６８】
ステップＳ２０３の判断の結果、図７に示す終了ボタン７６０がされずに、検査の終了または検査の保留の操作入力がなされない場合には、ステップＳ２０４に進む。
ステップＳ２０４に進むと、Ｘ線撮影制御装置１５１０−１（例えば検査開始部１５１３−１）は、ユーザの操作入力に基づいて、撮影部位の決定を行う。例えば、ユーザにより、図７に示す撮影部位表示部７３１が選択されて撮影ボタン７５０が操作されると、Ｘ線撮影制御装置１５１０−１（例えば検査開始部１５１３−１）は、実際に撮影する撮影部位として胸部正面を決定する。なお、本実施形態では、ユーザが撮影部位を選択して撮影部位を決定するようにしているが、例えばＲＩＳ１２００から送信された検査情報の順番等に応じて自動的に撮影部位を決定するようにしてもよい。また、撮影技師等のユーザの判断により、撮影部位の撮影順序を変更したり、撮影部位を追加したりすることも可能である。
【００６９】
続いて、ステップＳ２０５において、Ｘ線撮影制御装置１５１０−１（例えば検査開始部１５１３−１）は、ステップＳ２０４で決定された撮影部位を撮影する制御を行う。この際、Ｘ線撮影制御装置１５１０−１（例えば検査開始部１５１３−１）は、Ｘ線発生装置１５２０−１に対して、Ｘ線管球１５３０−１の管電圧及び管電流やＸ線の照射時間等のＸ線発生条件を送信して、当該Ｘ線発生条件に基づくＸ線をＸ線管球１５３０−１から照射させる。また、Ｘ線撮影制御装置１５１０−１（例えば検査開始部１５１３−１）は、Ｘ線検出装置１５４０−１から、被検体である患者を透過したＸ線に基づくＸ線画像を受信し、必要に応じて画像処理を行う。なお、ここでは、撮影技師等のユーザの判断により、再撮影が行われることもある。
【００７０】
続いて、ステップＳ２０６において、ＧＵＩ表示・操作入力部１５１１−１は、ステップＳ２０５の撮影により得られたＸ線画像を表示する。例えば、撮影部位として胸部正面が撮影された場合には、図７に示す撮影画像表示領域７４０にそのＸ線画像を表示するとともに、サムネイル画像表示領域７３１ａにそのサムネイル画像を表示する。
その後、ステップＳ２０３に移行し、ステップＳ２０３以降の処理を行う。
【００７１】
一方、ステップＳ２０３の判断の結果、検査の終了の操作入力がなされた場合には、ステップＳ２０７に進む。
ステップＳ２０７に進むと、Ｘ線撮影制御装置１５１０−１は、ＰＡＣＳ１３００に対して、当該検査で撮影された全てのＸ線画像を送信する処理を行う。
その後、図３のステップＳ１０１に移行し、ステップＳ１０１以降の処理を行う。
【００７２】
また、ステップＳ２０３の判断の結果、検査の保留の操作入力がなされた場合には、ステップＳ２０８に進む。例えば、撮影部位表示領域７３０に表示された一部の撮影部位の撮影が済んでいる状態で、緊急度の高い他の患者の撮影が割り込んできた状況の場合、ユーザは、終了ボタン７６０を操作して、当該検査を保留状態とする。
ステップＳ２０８に進むと、検査保留部１５１４−１は、検査開始部１５１３−１で開始した検査を保留状態とし、当該保留状態とした検査に関連する検査関連情報をサーバー１４００に送信する。ここで、検査関連情報としては、ＲＩＳ１２００から受信した当該検査の検査情報に加えて、現時点までに撮影を行った撮影部位である撮影済部位の情報や、保留元の情報（即ち、保留状態としたＸ線撮影装置１５００（本例では、第１のＸ線撮影装置１５００−１）の情報）を含む。
【００７３】
続いて、ステップＳ２０９において、検査保留部１５１４−１は、当該保留状態とするまでに撮影された撮影部位におけるＸ線画像をサーバー１４００に送信する。
その後、図３のステップＳ１０１に移行し、ステップＳ１０１以降の処理を行う。
【００７４】
図８は、本発明の第１の実施形態に係るＸ線撮影装置（放射線撮影装置）１５００の制御方法を示し、図３のステップＳ１０１において実施する検査が保留検査であると判断された場合に行われる処理手順の一例を示すフローチャートである。
【００７５】
例えば、先に検査を開始した患者は、当該検査を保留にされて、緊急度の高い患者の検査の終了を待っている状態であるが、別のＸ線撮影装置１５００で撮影可能となった場合、そちらのＸ線撮影装置１５００で保留した検査の再開が可能である。
【００７６】
図８のフローチャートの処理に移行すると、まず、ステップＳ３０１において、検査情報取得部１５１２−１は、サーバー１４００から、保留検査対象患者の複数の撮影部位に係る保留検査情報を取得する。
【００７７】
図９は、本発明の第１の実施形態を示し、図１に示すサーバー１４００で管理されている保留検査情報の一例を示す図である。
サーバー１４００では、複数のＸ線撮影装置１５００から、保留状態とされた検査の検査情報（保留検査情報）を受信し、図９に示すようなリストで管理している。図９に示すリストは、主要な項目のみ示したものである。管理Ｎｏ．は、保留された検査を一意に識別できるようにサーバー１４００が独自に付した番号である。患者ＩＤ、患者名、性別、年齢、撮影部位及び撮影済部位の情報は、各Ｘ線撮影装置１５００から送信された保留検査の検査関連情報に基づくものである。ここで、撮影部位の情報は、ＲＩＳ１２００から依頼された撮影部位を示すアナトミカルコード等の識別情報（識別番号）である。また、撮影済部位の情報は、既に撮影した撮影部位を示すアナトミカルコード等の識別情報（識別番号）であり、撮影技師等のユーザの判断により追加で撮影した撮影部位の情報も含まれる。保留元の情報は、保留したＸ線撮影装置１５００のＩＰアドレス等の識別情報である。ここでは、「１９２．１６８．８０．３」が図１に示す第１のＸ線撮影装置１５００−１に相当し、「１９２．１６８．８０．４」が図１に示す第２のＸ線撮影装置１５００−２に相当するものとする。
また、サーバー１４００は、検査保留部１５１４から送信された、保留状態とするまでに撮影された撮影部位におけるＸ線画像を、上述した保留検査情報と関連付けて管理しているものとする。
【００７８】
ここで、再び、図８の説明に戻る。
ステップＳ３０１の処理が終了すると、ステップＳ３０２に進む。
ステップＳ３０２に進むと、ＧＵＩ表示・操作入力部１５１１−１は、ステップＳ３０１で取得された保留検査情報のリスト表示を行い、ユーザの操作入力に基づいて、保留検査を実施する患者の検査情報を選択する。
【００７９】
図１０は、本発明の第１の実施形態を示し、図４のステップＳ３０２において表示されるＧＵＩ画面１０００の一例を示す図である。
ＧＵＩ画面１０００には、メッセージ表示領域１０１０と、保留検査リスト１０２０と、決定ボタン１０３０及び終了ボタン１０４０が設けられている。
保留検査リスト１０２０に表示されているように、検査情報は患者ごとになっており、本実施形態では、１つの検査情報には、或る患者の複数の撮影部位が含まれている。具体的に、図１０に示す例では、各検査情報には、保留検査とされた日である検査日、患者ＩＤ、患者名、性別、年齢、撮影数、撮影部位、撮影済部位を含む各種の情報が含まれている。
【００８０】
ここでは、図１０に示すＧＵＩ画面１０００において、例えば、ユーザにより、患者ＩＤが「１１５６２」の検査情報が選択されて、決定ボタン１０３０の操作入力がなされたものとする。即ち、ここでは、当該第１のＸ線撮影装置１５００−１とは異なる他の放射線撮影装置である第２のＸ線撮影装置１５００−２で保留とされた検査の検査情報が選択されたものとする。
【００８１】
ここで、再び、図８の説明に戻る。
ステップＳ３０２の処理が終了すると、ステップＳ３０３に進む。
ステップＳ３０３に進むと、Ｘ線撮影制御装置１５１０−１（例えば検査再開部１５１５−１）は、サーバー１４００に対して、検査再開要求を行う。この際、Ｘ線撮影制御装置１５１０−１（例えば検査再開部１５１５−１）は、サーバー１４００に対して、ステップＳ３０２で選択された検査情報に係る情報（例えば、管理Ｎｏ．（患者ＩＤ等であってもよい）の情報）を通知して、検査再開要求を行う。
【００８２】
その後、サーバー１４００では、受信した検査情報に係る情報である管理Ｎｏ．の情報が、図９に示すリストに存在するか否かを確認し、存在した場合には、Ｘ線撮影制御装置１５１０−１に対して、許可を通知する。一方、サーバー１４００では、受信した検査情報に係る情報である管理Ｎｏ．の情報が、図９に示すリストに存在しない場合には、Ｘ線撮影制御装置１５１０−１に対して、不許可を通知する。
【００８３】
続いて、ステップＳ３０４において、Ｘ線撮影制御装置１５１０−１（例えば検査再開部１５１５−１）は、サーバー１４００から許可の通知を受けたか否かを判断する。この判断の結果、サーバー１４００から許可の通知を受けていない場合（不許可の通知を受けた場合）には、図３のステップＳ１０１に移行し、ステップＳ１０１以降の処理を行う。
【００８４】
一方、ステップＳ３０４の判断の結果、サーバー１４００から許可の通知を受けた場合には、ステップＳ３０５に進む。
ステップＳ３０５に進むと、検査再開部１５１５−１は、サーバー１４００から当該保留状態とするまでに撮影された撮影部位におけるＸ線画像を受信して取得する。
【００８５】
なお、サーバー１４００では、ステップＳ３０５において検査再開部１５１５−１にＸ線画像を送信し終えると、管理しているリストから当該管理Ｎｏ．の保留検査情報を削除する。また、サーバー１４００は、検査再開要求を受信してからＸ線画像の送信が終了するまで、他のＸ線撮影装置（第２のＸ線撮影装置１５００−２）からの検査再開要求を受け付けないため、複数の検査再開要求の処理が同時に実行されることはない。このような管理をすることにより、保留検査が複数のＸ線撮影装置１５００で同時に再開されることはない。
【００８６】
図８に示すステップＳ３０５の処理が終了すると、ＧＵＩ表示・操作入力部１５１１−１は、図１１に示すような保留検査に係るＧＵＩ画面１１００を表示し、その後、図５のステップＳ２０３に移行する。
【００８７】
図１１は、本発明の第１の実施形態を示し、図１０に示す患者ＩＤが「１１５６２」の検査情報に基づく保留検査を実施するためのＧＵＩ画面１１００の一例を示す図である。
この図１１に示すＧＵＩ画面１１００が表示されると、検査再開部１５１５−１は、患者ＩＤが「１１５６２」の検査情報に基づいて、患者名が「ホンダ  タロウ」の検査を再開する処理を行う。本実施形態においては、図１１に示す保留検査に係るＧＵＩ画面１１００が表示されると、「検査の再開」がなされるものとする。
【００８８】
図１１に示すＧＵＩ画面１１００には、保留検査表示領域１１１０と、患者情報表示領域１１２０と、撮影部位表示領域１１３０と、撮影画像表示領域１１４０と、撮影ボタン１１５０及び終了ボタン１１６０が設けられている。
患者情報表示領域１１２０には、図１０に示すＧＵＩ画面１０００の保留検査リスト１０２０の中から選択・決定された検査情報に含まれる患者情報が表示されている。
撮影部位表示領域１１３０には、図１０に示すＧＵＩ画面１０００の保留検査リスト１０２０の中から選択・決定された検査情報に含まれる撮影部位に係る情報が表示されている。具体的に、図１１に示す撮影部位表示部１１３１には、撮影部位が胸部正面（識別番号：１０１）である旨が表示されており、図１１に示す撮影部位表示部１１３２には、撮影部位が胸部側面（識別番号：１０２）である旨が表示されており、図１１に示す撮影部位表示部１１３３には、撮影部位が腹部側面（識別番号：１０４）である旨が表示されている。また、撮影部位表示部１１３１〜１１３３は、ユーザにより選択可能に構成されており、ユーザは、撮影を行いたい撮影部位を選択可能になっている。また、撮影部位表示部１１３１〜１１３３には、それぞれ、ユーザが当該撮影部位を撮影済の場合にそのサムネイル画像を表示するためのサムネイル画像表示領域１１３１ａ〜１１３３ａが設けられている。ユーザは、サムネイル画像表示領域１１３１ａ〜１１３３ａを見ることによって、当該撮影部位が撮影済か否かを把握することができる。図１１に示す例の場合、胸部正面の撮影部位のみが撮影済であるため、サムネイル画像表示領域１１３１ａのみにサムネイル画像が存在している。
撮影画像表示領域１１４０には、例えば直近に撮影されたＸ線画像が表示される。図１１に示す例の場合、直近に胸部正面の撮影部位が撮影済のため、胸部正面のＸ線画像が表示されている。
撮影ボタン１１５０は、撮影部位表示領域１１３０に表示された撮影部位表示部１１３１〜１１３３のうちのいずれか１つが選択された状態で操作されると、当該選択された撮影部位の撮影が実施されるボタンである。
終了ボタン１１６０は、当該保留検査を終了または保留するためのボタンである。具体的に、撮影部位表示領域１１３０に表示された全ての撮影部位の撮影が済んでいる状態で終了ボタン１１６０が操作されると、「検査の終了」となる。一方、撮影部位表示領域１１３０に表示された一部の撮影部位の撮影が済んでいる状態で終了ボタン１１６０が操作されると、「検査の保留」となる。
【００８９】
本実施形態のＸ線撮影装置１５００は、ＲＩＳ１２００（第１の外部装置）から或る患者の複数の撮影部位に係る検査情報を取得する検査情報取得部１５１２と、当該検査情報に基づいて当該或る患者の検査を開始する処理を行う検査開始部１５１３を備えている。
また、本実施形態のＸ線撮影装置１５００は、ユーザの操作入力に基づいて、検査開始部１５１３で開始した検査を保留状態とし、当該保留状態とした検査に関連する検査関連情報と当該保留状態とするまでに撮影した前記撮影部位におけるＸ線画像をサーバー１４００（第２の外部装置）に送信する検査保留部１５１４を備えている。
さらに、本実施形態のＸ線撮影装置１５００は、ユーザの操作入力に基づいて、当該放射線撮影装置または他の放射線撮影装置で保留状態とされた検査を再開するために、サーバー１４００から当該保留状態とされた検査に関連する検査関連情報と当該保留状態とするまでに撮影された前記撮影部位におけるＸ線画像を受信する検査再開部１５１５を備えている。
かかる構成によれば、保留状態とされた検査の早期実施を実現することができる。特に、他の放射線撮影装置で保留状態とされた検査を再開できるため、保留の原因となった緊急の検査の終了を待つことなく、当該保留状態とされた検査の早期実施を実現することができる。これにより、効率の良い検査を実施することが可能となる。
【００９０】
（第２の実施形態）
次に、本発明の第２の実施形態について説明する。
【００９１】
第２の実施形態に係るＸ線撮影システム（放射線撮影システム）の概略構成は、図１に示す第１の実施形態に係るＸ線撮影システム（放射線撮影システム）の概略構成と同様である。
【００９２】
次に、第２の実施形態に係るＸ線撮影装置１５００の制御方法における処理手順の一例について説明を行う。
【００９３】
まず、第２の実施形態に係るＸ線撮影装置１５００の制御方法における処理では、図３に示すフローチャートの処理を経る。以降、フローチャートの説明では、図１に示す第１のＸ線撮影装置１５００−１を主体とし、第２のＸ線撮影装置１５００−２を他の放射線撮影装置とした説明を行う。
【００９４】
図３に示すステップＳ１０１において、実施する検査が新規検査であると判断されると、図１２に示すフローチャートに移行する。
【００９５】
図１２は、本発明の第２の実施形態に係るＸ線撮影装置（放射線撮影装置）１５００の制御方法を示し、図３のステップＳ１０１において実施する検査が新規検査であると判断された場合に行われる処理手順の一例を示すフローチャートである。ここで、図１２において、図５に示す処理ステップと同様の処理ステップについては同じステップ番号を付しており、その説明は省略する。
【００９６】
第２の実施形態では、ステップＳ２０３の判断の結果、検査の保留の操作入力がなされた場合には、ステップＳ２０８に進む。
そして、ステップＳ２０８に進むと、検査保留部１５１４−１は、検査開始部１５１３−１で開始した検査を保留状態とし、当該保留状態とした検査に関連する検査関連情報をサーバー１４００に送信する。
【００９７】
続いて、ステップＳ１２０１において、検査保留部１５１４−１は、当該保留状態とするまでに撮影された撮影部位におけるＸ線画像を、当該第１のＸ線撮影装置１５００−１の内部の記憶部１５１６−１に記憶して保持する。
その後、図３のステップＳ１０１に移行し、ステップＳ１０１以降の処理を行う。
【００９８】
また、図３に示すステップＳ１０１において、実施する検査が保留検査であると判断されると、図１３に示すフローチャートに移行する。
【００９９】
図１３は、本発明の第２の実施形態に係るＸ線撮影装置（放射線撮影装置）１５００の制御方法を示し、図３のステップＳ１０１において実施する検査が保留検査であると判断された場合に行われる処理手順の一例を示すフローチャートである。ここで、図１３において、図８に示す処理ステップと同様の処理ステップについては同じステップ番号を付しており、その説明は省略する。
【０１００】
図１３のフローチャートに移行すると、第２の実施形態では、まず、図８のステップＳ３０１〜３０４の処理を経る。
【０１０１】
そして、ステップＳ３０４の判断の結果、サーバー１４００から許可の通知を受けた場合には、ステップＳ１３０１に進む。
ステップＳ１３０１に進むと、検査再開部１５１５−１は、再開する検査の保留元の情報に基づいて、当該保留元のＸ線撮影装置１５００から当該保留状態とするまでに撮影された撮影部位におけるＸ線画像を受信して取得する。なお、保留元のＸ線撮影装置１５００では、撮影済のＸ線画像の送信後、当該撮影済のＸ線画像を消去する。
【０１０２】
図１３に示すステップＳ１３０１の処理が終了すると、ＧＵＩ表示・操作入力部１５１１−１は、図１１に示すような保留検査に係るＧＵＩ画面１１００を表示し、その後、図５のステップＳ２０３に移行する。
【０１０３】
このように、第２の実施形態では、撮影済のＸ線画像に関しては、サーバー１４００を経由せずに、保留元のＸ線撮影装置から当該保留検査を再開するＸ線撮影装置に直接送信するようにしている。
第２の実施形態によれば、第１の実施形態における効果に加えて、さらに、ネットワーク１１００上のトラフィックを減少させることができ、サーバー１４００の負荷の低減を図ることが可能となる。
【０１０４】
（第３の実施形態）
次に、本発明の第３の実施形態について説明する。
【０１０５】
第３の実施形態に係るＸ線撮影システム（放射線撮影システム）の概略構成は、図１に示す第１の実施形態に係るＸ線撮影システム（放射線撮影システム）の概略構成と同様である。
【０１０６】
第３の実施形態は、病院内のシステムにより検査の進捗を管理する場合に好適な形態である。一般的には、検査を開始したＸ線撮影装置が、検査開始通知と検査終了通知を送信する。本発明の第３の実施形態に係るＸ線撮影システム１０００では、検査を開始するＸ線撮影装置１５００と、検査を終了するＸ線撮影装置１５００が異なっていても、適切に検査開始通知と検査終了通知を送信する。ここで、本実施形態では、検査の進捗管理をする装置は、ＲＩＳ１２００であるものとする。
【０１０７】
次に、第３の実施形態に係るＸ線撮影装置１５００の制御方法における処理手順の一例について説明を行う。
【０１０８】
まず、第３の実施形態に係るＸ線撮影装置１５００の制御方法における処理では、図３に示すフローチャートの処理を経る。以降、フローチャートの説明では、図１に示す第１のＸ線撮影装置１５００−１を主体とし、第２のＸ線撮影装置１５００−２を他の放射線撮影装置とした説明を行う。
【０１０９】
図３に示すステップＳ１０１において、実施する検査が新規検査であると判断されると、図１４に示すフローチャートに移行する。
【０１１０】
図１４は、本発明の第３の実施形態に係るＸ線撮影装置（放射線撮影装置）１５００の制御方法を示し、図３のステップＳ１０１において実施する検査が新規検査であると判断された場合に行われる処理手順の一例を示すフローチャートである。ここで、図１４において、図１２に示す処理ステップと同様の処理ステップについては同じステップ番号を付しており、その説明は省略する。
【０１１１】
第３の実施形態では、まず、ステップＳ２０１〜Ｓ２０２の処理を経る。
ステップＳ２０２において、新規検査を実施する患者の検査情報が選択されると、続いて、ステップＳ１４０１において、検査状態通知部１５１７−１は、ＲＩＳ１２００に対して、検査開始通知を送信する。
【０１１２】
その後、ステップＳ２０３において、Ｘ線撮影制御装置１５１０−１（例えば検査開始部１５１３−１）は、ユーザにより、検査の終了または検査の保留の操作入力がなされたか否かを判断する。
【０１１３】
そして、ステップＳ２０３の判断の結果、検査の終了の操作入力がなされた場合には、ステップＳ２０７に進み、Ｘ線撮影制御装置１５１０−１は、ＰＡＣＳ１３００に対して、当該検査で撮影された全てのＸ線画像を送信する処理を行う。その後、ステップＳ１４０２に進む。
【０１１４】
ステップＳ１４０２に進むと、検査状態通知部１５１７−１は、ＲＩＳ１２００に対して、検査終了通知を送信する。
その後、図３のステップＳ１０１に移行し、ステップＳ１０１以降の処理を行う。
【０１１５】
なお、第３の実施形態の場合、図３に示すステップＳ１０１において、実施する検査が保留検査であると判断されると、上述した第２の実施形態における図１３に示すフローチャートに移行することになる。
【０１１６】
第３の実施形態によれば、再開した保留検査であっても、サーバー１４００から検査に必要な全ての情報を受信して検査を再開しているため、新規検査と同様に検査終了通知（Ｎ-Ｓｅｔ）を送信することができる。これにより、適切に検査の進捗を管理することができる。
【０１１７】
（第４の実施形態）
次に、本発明の第４の実施形態について説明する。
【０１１８】
第４の実施形態に係るＸ線撮影システム（放射線撮影システム）の概略構成は、図１に示す第１の実施形態に係るＸ線撮影システム（放射線撮影システム）の概略構成と同様である。
【０１１９】
第４の実施形態は、第３の実施形態と同様に、病院内のシステムにより検査の進捗を管理する場合に好適な形態である。第３の実施形態では、検査開始通知を送信するＸ線撮影装置１５００と検査終了通知を送信するＸ線撮影装置１５００とが異なっている場合、検査の進捗管理をする装置であるＲＩＳ１２００の実装態様によっては、適切に通知を受信できないことも考えられる。そこで、第４の実施形態では、このような場合であっても、適切に検査開始通知と検査終了通知を受信可能とすべく、サーバー１４００を介して、ＲＩＳ１２００に、検査開始通知及び検査終了通知を送信する。
【０１２０】
次に、第４の実施形態に係るＸ線撮影装置１５００の制御方法における処理手順の一例について説明を行う。
【０１２１】
まず、第４の実施形態に係るＸ線撮影装置１５００の制御方法における処理では、図３に示すフローチャートの処理を経る。以降、フローチャートの説明では、図１に示す第１のＸ線撮影装置１５００−１を主体とし、第２のＸ線撮影装置１５００−２を他の放射線撮影装置とした説明を行う。
【０１２２】
図３に示すステップＳ１０１において、実施する検査が新規検査であると判断されると、図１５に示すフローチャートに移行する。
【０１２３】
図１５は、本発明の第４の実施形態に係るＸ線撮影装置（放射線撮影装置）１５００の制御方法を示し、図３のステップＳ１０１において実施する検査が新規検査であると判断された場合に行われる処理手順の一例を示すフローチャートである。ここで、図１５において、図１４に示す処理ステップと同様の処理ステップについては同じステップ番号を付しており、その説明は省略する。
【０１２４】
第４の実施形態では、まず、ステップＳ２０１〜Ｓ２０２の処理を経る。
ステップＳ２０２において、新規検査を実施する患者の検査情報が選択されると、続いて、ステップＳ１５０１において、検査状態通知部１５１７−１は、サーバー１４００に対して、検査開始通知（Ｎ−Ｃｒｅａｔｅ）を送信する。そして、第４の実施形態の場合、サーバー１４００は、受信した検査開始通知をＲＩＳ１２００に転送する。
【０１２５】
その後、ステップＳ２０３において、Ｘ線撮影制御装置１５１０−１（例えば検査開始部１５１３−１）は、ユーザにより、検査の終了または検査の保留の操作入力がなされたか否かを判断する。
【０１２６】
そして、ステップＳ２０３の判断の結果、検査の終了の操作入力がなされた場合には、ステップＳ２０７に進み、Ｘ線撮影制御装置１５１０−１は、ＰＡＣＳ１３００に対して、当該検査で撮影された全てのＸ線画像を送信する処理を行う。その後、ステップＳ１５０２に進む。
【０１２７】
ステップＳ１５０２に進むと、検査状態通知部１５１７−１は、サーバー１４００に対して、検査終了通知（Ｎ-Ｓｅｔ）を送信する。そして、第４の実施形態の場合、サーバー１４００は、受信した検査終了通知をＲＩＳ１２００に転送する。
その後、図３のステップＳ１０１に移行し、ステップＳ１０１以降の処理を行う。
【０１２８】
なお、第４の実施形態の場合、図３に示すステップＳ１０１において、実施する検査が保留検査であると判断されると、上述した第２の実施形態における図１３に示すフローチャートに移行することになる。
【０１２９】
第４の実施形態によれば、検査開始通知と検査終了通知を、サーバー１４００を介してＲＩＳ１２００に送信するため、ＲＩＳ１２００に対して検査開始通知と検査終了通知を送信する装置（サーバー１４００）を同じにすることができる。これにより、ＲＩＳ１２００の実装態様に関わらず、適切に検査の進捗を管理することができる。
【０１３０】
（第５の実施形態）
次に、本発明の第５の実施形態について説明する。
【０１３１】
上述した第１〜第４の実施形態では、保留された検査の検査情報（保留検査情報）を、サーバー１４００（第２の外部装置）で管理するものであった。
第５の実施形態に係るＸ線撮影システム１０００では、Ｘ線撮影の検査情報を管理するＲＩＳ１２００（第１の外部装置）において、保留検査情報も管理するものである。即ち、第５の実施形態では、図９に示す保留検査情報をＲＩＳ１２００で管理する。
【０１３２】
また、上述した第１〜第４の実施形態では、保留検査において当該保留状態とするまでに撮影された撮影部位におけるＸ線画像を、サーバー１４００で管理するものであった。
第５の実施形態に係るＸ線撮影システム１０００では、ＲＩＳ１２００から依頼された検査情報に基づく最終的なＸ線画像を管理するＰＡＣＳ１３００において、保留検査におけるＸ線画像も管理するものである。即ち、第５の実施形態では、サーバー１４００を使用せずに、第２の外部装置としてＰＡＣＳ１３００を適用する。
【０１３３】
（第６の実施形態）
次に、本発明の第６の実施形態について説明する。
【０１３４】
上述した第１〜第４の実施形態では、図８や図１３のステップＳ３０４の処理の際に、サーバー１４００では、受信した検査情報に係る管理Ｎｏ．の情報が、図９に示すリストに存在するか否かに応じて、検査の再開における許可／不許可を通知するものであった。
第６の実施形態は、保留検査を別のＸ線撮影装置で再開する際に、あまりに異なる撮影条件であると有効な検査を行うことが困難であるため、検査の再開先のＸ線撮影装置が適切でない場合には、保留検査を再開できないようにする形態である。例えば、第６の実施形態では、サーバー１４００は、上述した管理Ｎｏ．の情報の照合に加えて、Ｘ線撮影装置１５００と他のＸ線撮影装置１５００との撮影条件も考慮して、検査の再開における許可／不許可を通知する。
【０１３５】
即ち、第６の実施形態では、ユーザから検査の再開に係る操作入力を受けた際に、当該検査の再開が他の放射線撮影装置である第２のＸ線撮影装置１５００−２で保留状態とされた検査を再開する場合であって第１のＸ線撮影装置１５００−１と第２のＸ線撮影装置１５００−２との所定の撮影条件が異なる場合、サーバー１４００は、検査の再開の不許可通知を第１のＸ線撮影装置１５００−１に送信して、当該第１のＸ線撮影装置１５００−１で保留検査を再開できないようにする。
【０１３６】
ここで、上述した所定の撮影条件が異なる場合とは、例えば、Ｘ線管球１５３０のＸ線発生条件における管電圧や管電流が所定値以上に異なる場合や、Ｘ線管球１５３０のＸ線発生条件におけるＸ線の照射時間が所定値以上に異なる場合、或いは、Ｘ線検出装置１５４０におけるＸ線画像の解像度が所定値以上に異なる場合等のＸ線画像の読影に支障をきたす場合が挙げられる。
【０１３７】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
このプログラム及び当該プログラムを記憶したコンピュータ読み取り可能な記録媒体は、本発明に含まれる。
【０１３８】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１３９】
１０００  Ｘ線撮影システム、１１００  ネットワーク、１２００  ＲＩＳ、１３００  ＰＡＣＳ、１４００  サーバー、１５００  Ｘ線撮影装置、１５１０  Ｘ線撮影制御装置、１５１１  ＧＵＩ表示・操作入力部、１５１２  検査情報取得部、１５１３  検査開始部、１５１４  検査保留部、１５１５  検査再開部、１５１６  記憶部、１５１７  検査状態通知部、１５２０  Ｘ線発生装置、１５３０  Ｘ線管球、１５４０  Ｘ線検出装置
【図１】
2015136599.tif 000003
【図２】
2015136599.tif 000004
【図３】
2015136599.tif 000005
【図４】
2015136599.tif 000006
【図５】
2015136599.tif 000007
【図６】
2015136599.tif 000008
【図７】
2015136599.tif 000009
【図８】
2015136599.tif 000010
【図９】
2015136599.tif 000011
【図１０】
2015136599.tif 000012
【図１１】
2015136599.tif 000013
【図１２】
2015136599.tif 000014
【図１３】
2015136599.tif 000015
【図１４】
2015136599.tif 000016
【図１５】
2015136599.tif 000017